(57)【要約】【課題】ベース板上へのおもりの積載作業を容易に行い、しかも、安全に行なう。【解決手段】エレベータ用つり合いおもりにおいて、ベース板２と、ベース板２に立設されたネジ棒３と、ネジ棒３が挿通される挿通部４が形成され、挿通部４にネジ棒３が挿通されてベース板２上に積載された複数のおもり５と、ネジ棒３に螺合され、最上位のおもり５に当接して締付可能なナット６と、を備える。【選択図】    図１
2010013255.tif 000002
【特許請求の範囲】
【請求項１】
ベース板と、
前記ベース板に立設されたネジ棒と、
前記ネジ棒が挿通される挿通部が形成され、前記挿通部に前記ネジ棒が挿通されて前記ベース板上に積載された複数のおもりと、
前記ネジ棒に螺合され、最上位の前記おもりに当接して締付可能なナットと、
を備えることを特徴とするエレベータ用つり合いおもり。
【請求項２】
前記おもりは平面視形状が矩形状に形成され、前記おもりの一対の両端につり合いおもり用ガイドレールが嵌合される切欠部が形成されていることを特徴とする請求項１記載のエレベータ用つり合いおもり。
【請求項３】
前記挿通部は、一端が開放されて他端が閉止された切欠溝形状に形成されていることを特徴とする請求項１又は２記載のエレベータ用つり合いおもり。
【請求項４】
前記ベース板の上面は、このベース板上に積載される前記おもりの前記挿通部の切欠き方向に沿う方向に向けて傾斜しており、前記おもりは前記挿通部の開放されている側を下向きに傾斜させて前記ベース板上に積載されていることを特徴とする請求項３記載のエレベータ用つり合いおもり。
【請求項５】
前記ネジ棒は、前記おもりの挿通部に挿通される部分が丸棒形状に形成され、先端側に前記ナットが螺合されるネジが切られていることを特徴とする請求項１ないし４のいずれか一に記載のエレベータ用つり合いおもり。
【発明の詳細な説明】
【技術分野】
【０００１】
本発明は、エレベータ用つり合いおもりに関し、特に、ベース板上におもりを積載する作業を容易に行なうことができるエレベータ用つり合いおもりに関する。
【背景技術】
【０００２】
摩擦駆動方式のエレベータには、下記特許文献１に記載されているようなエレベータ用つり合いおもりが用いられている。
【０００３】
このようなエレベータ用つり合いおもりについて、図１２ないし図１４に基づいて説明する。エレベータ用つり合いおもり１０１は、平面視形状が矩形状のベース板１０２と、ベース板１０２の長手方向の両端部に固定して立設された一対の立柱１０３と、一対の立柱１０３の上端部に連結されたシャックルロッド固定用プレート１０４と、ベース板１０２の上に積載された複数のおもり１０５とを有している。
【０００４】
立柱１０３は、コの字型に形成され、コの字型にへこんだ側を対向させてベース板１０２に立設されている。
【０００５】
立柱１０３の上端側には、ベース板１０２と平行な向きに向けたおもり１０５を一対の立柱１０３の間に挿入可能な切欠部１０６が形成されている。
【０００６】
立柱１０３の長手方向に沿った外側面には、上下一対のつり合いおもり用ガイド装置１０７が設けられている。これらのつり合いおもり用ガイド装置１０７は、エレベータ昇降路内に上下方向に沿って配設されたつり合いおもり用ガイドレール１０８に嵌合されている。
【０００７】
おもり１０５は平面視形状が矩形状に形成され、これらのおもり１０５は、おもり１０５の長手方向の両端部を立柱１０３のコの字型のへこみ部分に嵌合させた状態でベース板１０２上に積載されている。
【０００８】
なお、エレベータには、エレベータ用つり合いおもり１０１と乗りかご（図示せず）とを昇降させる巻上機（図示せず）が設けられており、この巻上機に駆動シーブ（図示せず）が連結され、駆動シーブにエレベータロープ１０９が巻き掛けられている。エレベータロープ１０９の一端におもり用シャックルロッド１１０が固定され、エレベータロープ１０９の他端にかご用シャックルロッド（図示せず）が固定されている。おもり用シャックルロッド１１０はシャックルロッド固定用プレート１０４に連結され、かご用シャックルロッドは乗りかご（図示せず）に連結されている。
【０００９】
このようなエレベータ用つり合いおもり１０１において、おもり１０５をベース板１０２上に積載する場合には、図１２に示すように、おもり１０５を斜めに傾けて一対の立柱１０３の間に挿入し、挿入したおもり１０５をベース板１０２と平行な水平向きに戻しながら下ろしていく。一対の立柱１０３の間に斜めに傾けて挿入したおもり１０５を水平向きに戻すことにより、おもり１０５の両端部が立柱１０３のへこみ部分に嵌合される。
【００１０】
また、ベース板１０２上に積載したおもり１０５の数が多くなり、積載した最上位のおもり１０５とシャックルロッド固定用プレート１０４との間の幅寸法が小さくなると、おもり１０５を斜めに傾けた状態で一対の立柱１０３の間に挿入できなくなる。その場合には、図１３に示すように、ベース板１０２と平行な向きに向けたおもり１０５を切欠部１０６を通して一対の立柱１０３の間に挿入し、挿入したおもり１０５を下ろして既にベース板１０２上に積載されている他のおもり１０５の上に積載している。
【特許文献１】特開２０００−３０２３５９号公報
【発明の開示】
【発明が解決しようとする課題】
【００１１】
しかしながら、前述のエレベータ用つり合いおもりにおいては、以下の点について配慮がなされていない。
【００１２】
図１２に示すように、おもり１０５を斜めに傾けて一対の立柱１０３の間に挿入する作業は、おもり１０５を斜めに傾けて保持することが容易ではなく、また、おもり１０５が立柱１０３に干渉しないように注意しなければならず、おもり１０５が重量物であることと相俟って、ベース板１０２上におもり１０５を積載する作業は容易でない。そして、ベース板１０２上におもり１０５を積載する作業が容易でないため、積載作業中におもり１０５を落とす場合がある。
【００１３】
また、図１３に示すように、おもり１０５を切欠部１０６から挿入する場合には、切欠部１０６を通して一対の立柱１０３の間に挿入したおもり１０５を下向きに移動方向を変えて下ろさなければならず、おもり１０５が重量物であることと相俟って、ベース板１０２上におもり１０５を積載する作業は容易でない。そして、ベース板１０２上におもり１０５を積載する作業が容易でないため、積載作業中におもり１０５を落とす場合がある。
【００１４】
本発明はこのような課題を解決するためになされたもので、その目的は、ベース板上におもりを積載する作業を容易に行い、しかも、安全に行なうことである。
【課題を解決するための手段】
【００１５】
本発明の実施の形態に係る第１の特徴は、エレベータ用つり合いおもりにおいて、ベース板と、前記ベース板に立設されたネジ棒と、前記ネジ棒が挿通される挿通部が形成され、前記挿通部に前記ネジ棒が挿通されて前記ベース板上に積載された複数のおもりと、前記ネジ棒に螺合され、最上位の前記おもりに当接して締付可能なナットと、を備えることである。
【発明の効果】
【００１６】
本発明によれば、ベース板上におもりを積載する作業を容易に行なうことができ、しかも、安全に行なうことができる。
【発明を実施するための最良の形態】
【００１７】
以下、本発明の実施の形態を図面を用いて説明する。
【００１８】
（第１の実施の形態）
本発明の第１の実施の形態に係るエレベータ用つり合いおもり１を図１ないし図４に基づいて説明する。このエレベータ用つり合いおもり１は、ベース板２と、ベース板２に立設された一対のネジ棒３と、ネジ棒３が挿通される挿通部である挿通穴４が形成され、挿通穴４にネジ棒３が挿通されてベース板２上に積載された複数のおもり５と、ネジ棒３に螺合されて最上位のおもり５に当接して締付固定されたナット６とを備えている。
【００１９】
ベース板２は平面視形状が矩形状に形成され、ベース板２の長手方向に沿った両端側に一対の取付穴７が形成されている。これらの取付穴７にネジ棒３の一端側が挿入され、ネジ棒３の取付穴７への挿入部分が溶接され、ネジ棒３がベース板２に固定して立設されている。また、ベース板２の長手方向の両端には、エレベータ昇降路内に上下方向に延出して設けられたおもり用ガイドレール８が嵌合される切欠部９が形成されている。
【００２０】
ネジ棒３は、その全長に亘ってネジが切られており、ネジ棒３のネジ部には、ナット６、及び、シャックルロッド固定用プレート１０を固定するためのナット１１が螺合されている。
【００２１】
シャックルロッド固定用プレート１０は、ネジ棒３の他端側（上端側）に固定されている。ネジ棒３へのシャックルロッド固定用プレート１０の固定は、シャックルロッド固定用プレート１０に形成された挿通穴（図示せず）にネジ棒３を挿通し、ネジ棒３に螺合されてシャックルロッド固定用プレート１０を挟む位置に位置する一対のナット１１を締付けることにより行なわれている。シャックルロッド固定用プレート１０には、エレベータロープ１２の一端側に固定されたつり合いおもり用シャックルロッド１３が連結されている。エレベータロープ１２は、巻上機（図示せず）により駆動される駆動シーブ（図示せず）に巻き掛けて配置され、エレベータロープ１２の一端がつり合いおもり用シャックルロッド１３を介してエレベータ用つり合いおもり１に連結され、エレベータロープ１２の他端が乗りかご用シャックルロッド（図示せず）を介して乗りかご（図示せず）に連結されている。
【００２２】
おもり５は、図４に示すように平面視形状が矩形状の板部材として形成され、長手方向の両端側にネジ棒３が挿通される一対の挿通穴４が形成されている。一対の挿通穴４の間隔と、一対のネジ棒３の間隔とが等しく設定されている。また、おもり５には、長手方向の両端におもり用ガイドレール８が嵌合される切欠部１４が形成されている。これらの切欠部１４は、おもり５をベース板２上に積載した場合にベース板２の切欠部９と上下方向で重なる位置に形成されている。
【００２３】
このような構成において、ベース板２上におもり５を積載する場合には、シャックルロッド固定用プレート１０を取付ける前のネジ棒３の上方からおもり５を下方へ移動させ、おもり５の挿通穴４にネジ棒３を挿通させる。以上の作業を繰り返し、必要な枚数のおもり５をベース板２上に積載した後、ネジ棒３にナット６を螺合させ、ナット６を最上位のおもり５に当接させて締付け、積載した複数のおもり５を固定する。
【００２４】
ナット６を締付けておもり５を固定した後、ネジ棒３にシャックルロッド固定用プレート１０を固定し、シャックルロッド固定用プレート１０につり合いおもり用シャックルロッド１３を連結する。
【００２５】
エレベータ昇降路内に設置されたエレベータ用つり合いおもり１は、巻上機の駆動に伴ってエレベータ昇降路内を昇降し、この昇降時には、おもり用ガイドレール８がベース板２の切欠部９とおもり５の切欠部１４とに嵌合される。
【００２６】
ここで、ベース板２上におもり５を積載する作業は、おもり５の挿通穴４をネジ棒３の位置に合わせておもり５を下方へ移動させることにより行なえ、しかも、おもり５を積載する作業を行なう周囲には、積載するおもり５が干渉して積載作業の妨げとなる部材が存在しない。このため、ベース板２上におもり５を積載する作業を容易に行なうことができる。そして、おもり５の積載作業を容易に行なえるため、積載作業中におもり５を落とすことを防止することができ、積載作業の安全性を高めることができる。
【００２７】
エレベータ用つり合いおもり１が昇降される場合には、ベース板２に形成された切欠部９とおもり５に形成された切欠部１４とにおもり用ガイドレール８が嵌合されるため、エレベータ用つり合いおもり１の昇降が安定して行なわれる。しかも、エレベータつり合いおもり１の昇降を安定させるためのエレベータつり合いおもり１側の機構として、ベース板２に切欠部９を形成するとともにおもり５に切欠部１４を形成すればよく、安価な構成とすることができる。
【００２８】
このエレベータ用つり合いおもり１によれば、従来例で説明したような立柱１０３やつり合いおもり用ガイド装置１０７が不要となり、部品点数が少なくなってコスト削減を図ることができる。
【００２９】
（第２の実施の形態）
本発明の第２の実施の形態に係るエレベータ用つり合いおもり２１を図５ないし図７に基づいて説明する。なお、第２の実施の形態及びこれ以降の実施の形態において、第１の実施の形態において説明した構成要素と同じ構成要素には同じ符号を付け、重複する説明は省略する。
【００３０】
このエレベータ用つり合いおもり２１は、基本的な構成は第１の実施の形態に係るエレベータ用つり合いおもり１と同じであり、異なる部分はおもり５Ａの構造である。
【００３１】
おもり５Ａは、図７に示すように平面視形状が矩形状の板部材として形成され、長手方向の両端側にネジ棒３が挿通される一対の挿通部である挿通溝２２が形成されている。挿通溝２２は、一端が開放されて他端が閉止された切欠溝形状に形成されている。一対の挿通溝２２の間隔と、一対のネジ棒３の間隔とが等しく設定されている。挿通溝２２における閉止された端部から開放された端部に向かう方向は、おもり５Ａの長手方向と直交する方向とされている。
【００３２】
このような構成において、ベース板２上におもり５Ａを積載する場合には、おもり５Ａをベース板２と平行な向きであって挿通溝２２の開放端がネジ棒３に対向する位置に配置し、そのおもり５Ａをネジ棒３方向へ水平向きに移動させ、ネジ棒３を挿通溝２２の開放端側から挿通溝２２に嵌合させる。以上の作業を繰り返し、必要な枚数のおもり５Ａをベース板２上に積載した後、ネジ棒３にナット６を螺合させ、ナット６を最上位のおもり５Ａに当接させて締付け、積載した複数のおもり５Ａを固定する。
【００３３】
ナット６を締付けておもり５を固定した後、ネジ棒３にシャックルロッド固定用プレート１０を固定し、シャックルロッド固定用プレート１０につり合いおもり用シャックルロッド１３を連結する。なお、この第２の実施の形態においては、ベース板２上におもり５Ａを積載する前に、ナット６をネジ棒３に螺合させておいてもよく、さらに、シャックルロッド固定用プレート１０をネジ棒３に固定しておいてもよい。
【００３４】
ここで、ベース板２上におもり５Ａを積載する作業は、ベース板２と平行な向きに位置させたおもり５Ａを、おもり５Ａの挿通穴４にネジ棒３が嵌合される向きに水平向きに移動させることにより行なえ、しかも、積載する作業を行なう周囲には、積載するおもり５Ａが干渉して積載作業の妨げとなる部材が存在しない。このため、ベース板２上におもり５Ａを積載する作業を容易に行なうことができる。そして、おもり５Ａの積載作業を容易に行なえるため、積載作業中におもり５Ａを落とすことを防止することができ、積載作業の安全性を高めることができる。
【００３５】
（第３の実施の形態）
本発明の第３の実施の形態に係るエレベータ用つり合いおもり３１を図８ないし図１０に基づいて説明する。
【００３６】
このエレベータ用つり合いおもり３１は、基本的な構成は第２の実施の形態に係るエレベータ用つり合いおもり２１と同じであり、異なる部分は、ベース板２Ａの構造と、おもり５Ｂの構造である。
【００３７】
おもり５Ｂは、図１０に示すように平面視形状が矩形状の板部材として形成されており、長手方向の両端側にネジ棒３が挿通される一対の挿通溝２２が形成されている。一対の挿通溝２２の間隔と、一対のネジ棒３の間隔とが等しく設定されている。また、おもり５Ｂは、図９に示すように、側面視形状が平行四辺形となるように形成されている。
【００３８】
ベース板２Ａには一対のネジ棒３が固定して立設され、ベース板２Ａの上面は、このベース板２Ａ上に積載されるおもり５Ｂの挿通溝２２の切欠き方向に沿う方向に向けて傾斜している。
【００３９】
ベース板２Ａ上に積載されたおもり５Ｂは、挿通溝２２の開放されている側を下向きに傾斜させてベース板２Ａ上に積載されている。
【００４０】
このような構成において、ベース板２Ａ上におもり５Ｂを積載する場合には、おもり５Ｂをベース板２Ａの上面と平行な向きであって挿通溝２２の開放端がネジ棒３に対向する位置に配置し、そのおもり５Ｂをネジ棒３方向へ移動させ、ネジ棒３を挿通溝２２の開放端側から挿通溝２２に嵌合させる。なお、この積載作業は、おもり５Ｂがベース板２Ａの上面の傾斜に沿って上方から下方へ移動する向きに行なう。以上の作業を繰り返し、必要な枚数のおもり５Ｂをベース板２Ａ上に積載した後、ネジ棒３にナット６を螺合させ、ナット６を最上位のおもり５Ｂに当接させて締付け、積載した複数のおもり５Ｂを固定する。
【００４１】
ここで、ベース板２Ａ上におもり５Ａを積載する作業は、ベース板２Ａの上面と平行な向きに位置させたおもり５Ｂを、おもり５Ｂの挿通穴４にネジ棒３が嵌合される向きに移動させることにより行なえ、しかも、積載する作業を行なう周囲には、積載するおもり５Ｂが干渉して積載作業の妨げとなる部材が存在しない。このため、ベース板２Ａ上におもり５Ｂを積載する作業を容易に行なうことができる。そして、おもり５Ｂの積載作業を容易に行なえるため、積載作業中におもり５Ｂを落とすことを防止することができ、積載作業の安全性を高めることができる。
【００４２】
さらに、ベース板２Ａの上面が傾斜面とされており、ベース板２Ａ上におもり５Ｂを積載する場合には、ベース板２Ａの傾斜面に沿った上方側から下方側へおもり５Ｂを移動させるため、積載作業時におもり５Ｂの移動をスムーズに行なうことができ、積載作業時においておもり５Ｂを落とすことをより一層防止することができる。
【００４３】
なお、このエレベータ用つり合いおもり３１で使用するおもりについては、おもり５Ｂに代えて第２の実施の形態で説明したおもり５Ａを使用してもよい。
【００４４】
（第４の実施の形態）
本発明の第４の実施の形態に係るエレベータ用つり合いおもり４１について、図１１に基づいて説明する。
【００４５】
このエレベータ用つり合いおもり４１は、基本的な構成は第１の実施の形態に係るエレベータ用つり合いおもり１と同じであり、異なる部分はネジ棒３Ａの構造である。
【００４６】
ネジ棒３Ａは、おもり５の挿通穴４に挿通される部分が丸棒形状に形成され、ネジ棒３Ａの先端側にナット６、１１が螺合されるネジが切られている。
【００４７】
このような構成において、ネジ棒３Ａにおけるネジ切加工を行なう範囲が少なくなり、ネジ棒３Ａの製造コストを削減することができる。
【図面の簡単な説明】
【００４８】
【図１】本発明の第１の実施の形態に係るエレベータ用つり合いおもりを一部を破断して示す正面図である。
【図２】その側面図である。
【図３】その水平断面図である。
【図４】おもりを示す平面図である。
【図５】本発明の第２の実施の形態に係るエレベータ用つり合いおもりを一部を破断して示す正面図である。
【図６】その水平断面図である。
【図７】おもりを示す平面図である。
【図８】本発明の第３の実施の形態に係るエレベータ用つり合いおもりを一部を破断して示す正面図である。
【図９】その側面図である。
【図１０】おもりを示す平面図である。
【図１１】本発明の第４の実施の形態に係るエレベータ用つり合いおもりを一部を破断して示す正面図である。
【図１２】従来例のエレベータ用つり合いおもりにおけるベース板上におもりを積載する工程を示す正面図である。
【図１３】従来例のエレベータ用つり合いおもりにおけるベース板上におもりを積載する工程を示す正面図である。
【図１４】エレベータ用つり合いおもりを示す水平断面図である。
【符号の説明】
【００４９】
１      エレベータ用つり合いおもり
２      ベース板
２Ａ    ベース板
３      ネジ棒
３Ａ    ネジ棒
４      挿通穴（挿通部）
５      おもり
５Ａ    おもり
５Ｂ    おもり
６      ナット
８      つり合いおもり用ガイドレール
１４      切欠部
２１      エレベータ用つり合いおもり
２２      挿通溝（挿通部）
３１      エレベータ用つり合いおもり
４１      エレベータ用つり合いおもり
【図１】
2010013255.tif 000003
【図２】
2010013255.tif 000004
【図３】
2010013255.tif 000005
【図４】
2010013255.tif 000006
【図５】
2010013255.tif 000007
【図６】
2010013255.tif 000008
【図７】
2010013255.tif 000009
【図８】
2010013255.tif 000010
【図９】
2010013255.tif 000011
【図１０】
2010013255.tif 000012
【図１１】
2010013255.tif 000013
【図１２】
2010013255.tif 000014
【図１３】
2010013255.tif 000015
【図１４】
2010013255.tif 000016